(57)【要約】      （修正有）【課題】水に落とした場合に、夜間や視界が悪い場合でも発見が容易な電子機器を提供する。【解決手段】自身の水没および取り上げを検出する水没検出部４１と、筐体の内部に設けられた発光体６１と、点灯信号の入力に応じて発光体を点灯させる点灯回路３３と、水没から、少なくとも取り上げまでの間、所定の点滅周期で点灯信号を発生して点灯回路３３に入力することにより発光体６１を点滅させる制御部３０と、水没検出部４１が水没を検出したとき制御部３０に電源が供給されていなかった場合、制御部３０に電源を供給して制御部３０を起動する電源制御回路４３と、を備える。【選択図】図２
2013229826.tif 000002
【特許請求の範囲】
【請求項１】
自身が水面または水中に落下したこと（以下「水没」と呼ぶ）を検出するとともに、前記水面または水中から取り上げられたこと（以下「取り上げ」と呼ぶ）を検出する水没検出部と、
筐体の内部に設けられた発光体と、
点灯信号の入力に応じて前記発光体を点灯させる点灯回路と、
前記水没から、少なくとも前記取り上げまでの間、所定の点滅周期で前記点灯信号を発生して前記点灯回路に入力することにより、前記発光体を点滅させる制御部と、
前記水没検出部が水没を検出したとき前記制御部に電源が供給されていなかった場合、前記制御部に電源を供給して前記制御部を起動する電源制御回路と、
を備えた電子機器。
【請求項２】
前記制御部は、前記水没検出部が取り上げを検出した後も所定の点灯継続時間だけ、前記点滅周期での前記点灯信号の発生を継続するとともに、前記操作部による前記点滅周期の設定を受け付け、
該設定された点灯継続時間だけ、前記点滅周期での前記点灯信号の発生を継続する請求項１に記載の電子機器。
【請求項３】
ディスプレイおよびキーパネルをさらに備え、
前記発光体は、前記ディスプレイおよびキーパネルの少なくとも一方のバックライトであり、
前記制御部は、前記操作部への点灯操作に応じて前記発光体を点灯させる請求項１または請求項２に記載の電子機器。
【請求項４】
スピーカ、および、該スピーカを駆動する増幅回路をさらに備え、
前記制御部は、前記水没から前記取り上げまでの間、自身の存在位置を報知するアラーム音信号を生成して前記増幅回路に入力する請求項１乃至請求項３のいずれかに記載の電子機器。
【請求項５】
前記水没検出部は、一対の電極を有し、これらの電極が相互に導通することによって前記水没を検出し、そののち非導通になることによって前記取り上げを検出する請求項１乃至請求項４のいずれかに記載の電子機器。
【請求項６】
ユーザによって操作される操作部をさらに備え、
前記制御部は、前記操作部による前記点滅周期の設定を受け付け、該設定された点滅周期で前記点灯信号を発生する請求項１乃至請求項５のいずれかに記載の電子機器。
【発明の詳細な説明】
【技術分野】
【０００１】
この発明は、電子機器に関し、特には水に落としても水に浮く電子機器に関する。
【背景技術】
【０００２】
マリン用のトランシーバ等、水に近いところで使用される電子機器は多い。このような電子機器は、誤って水が掛かったり、水に落とすことも考えられるため、内部に水が入らないように防水されているものも実用化されている。また、水に落としたとき水中に沈んでしまうと回収できなくなるため、水に浮くようにすることも提案されている（たとえば特許文献１）。
【先行技術文献】
【特許文献】
【０００３】
【特許文献１】実開平０４−１３５０３８号公報
【発明の概要】
【発明が解決しようとする課題】
【０００４】
しかし、夜間や視界が悪いときには、電子機器が水面に浮いていてもどこにあるかを見つけることができない可能性がある。このような場合には、電子機器が水面に浮いているにもかかわらず回収できないという問題点があった。また、落下した電子機器でＬＥＤなどを点滅させることも考えられるが、ユーザが発見しやすい点滅の周期などはユーザ毎に様々である。
【０００５】
この発明は、水に落とした場合に、夜間や視界が悪い場合でも発見が容易な電子機器を提供することを目的とする。
【課題を解決するための手段】
【０００６】
本発明の電子機器は、自身が水面または水中に落下したこと（以下「水没」と呼ぶ）を検出するとともに、前記水面または水中から取り上げられたこと（以下「取り上げ」と呼ぶ）を検出する水没検出部と、筐体の内部に設けられた発光体と、点灯信号の入力に応じて前記発光体を点灯させる点灯回路と、前記水没から、少なくとも前記取り上げまでの間、所定の点滅周期で前記点灯信号を発生して前記点灯回路に入力することにより、前記発光体を点滅させる制御部と、前記水没検出部が水没を検出したとき前記制御部に電源が供給されていなかった場合、前記制御部に電源を供給して制御制御部を起動する電源制御回路と、を備えたことを特徴とする。
【０００７】
上記発明において、前記制御部は、前記水没検出部が取り上げを検出した後も所定の点灯継続時間だけ、前記点滅周期での前記点灯信号の発生を継続するとともに、前記操作部による前記点滅周期の設定を受け付け、該設定された点灯継続時間だけ、前記点滅周期での前記点灯信号の発生を継続するようにしてもよい。
【０００８】
ディスプレイおよびキーパネルをさらに備え、前記発光体を前記ディスプレイおよびキーパネルの少なくとも一方のバックライトとし、前記制御部が前記操作部への点灯操作に応じて前記発光体を点灯させるようにしてもよい。
【０００９】
スピーカ、および、該スピーカを駆動する増幅回路をさらに備え、前記制御部が、前記水没から前記取り上げまでの間、自身の存在位置を報知するアラーム音信号を生成して前記増幅回路に入力するようにしてもよい。
【００１０】
前記水没検出部を、一対の電極を有し、これらの電極が相互に導通することによって前記水没を検出し、そののち非導通になることによって前記取り上げを検出するものとしてもよい。
【００１１】
ユーザによって操作される操作部をさらに備え、前記制御部が、前記操作部による前記点滅周期の設定を受け付け、該設定された点滅周期で前記点灯信号を発生するようにしてもよい。
【発明の効果】
【００１２】
この発明によれば、携帯電子機器が水中に落下したとき発光部が発光するため、夜間や視界が悪い環境下であっても、ユーザが容易にその携帯電子機器を発見することが可能になる。
【図面の簡単な説明】
【００１３】
【図１】この発明の実施形態であるトランシーバの外観図である。
【図２】同トランシーバの電子回路のブロック図である。
【図３】同トランシーバのディスプレイに表示される設定画面の例を示す図である。
【図４】同トランシーバの制御部の動作を示すフローチャートである。
【図５】同トランシーバの制御部の動作を示すフローチャートである。
【図６】同トランシーバの制御部の動作を示すフローチャートである。
【図７】同トランシーバの制御部の動作を示すフローチャートである。
【発明を実施するための形態】
【００１４】
図面を参照してこの発明の実施形態であるトランシーバについて説明する。図１はトランシーバの外観図である。同図（Ａ）はトランシーバの正面図、同図（Ｂ）はトランシーバの右側面図、同図（Ｃ）はトランシーバの背面図である。
【００１５】
まず、このトランシーバ１の概要を説明する。このトランシーバ１は、船舶通信用のハンディ機器であり、マリンＶＨＦバンドの無線通信を行う。トランシーバ１は、本体１０の上面にロッドアンテナ１２を設けた外観をしている。トランシーバ１は、電源として軽量且つ大容量のリチウムイオン電池を用いたこと等により全体の重量が軽量化され、筐体１１が防水されていることと相まって、水に落下したときでも沈むことなく水面に浮きあがる。トランシーバ１は、内部の重心バランスにより、筐体１１の前面が上、背面が下になった姿勢で水面に浮かぶ。なお、この明細書では、水面に落下することを便宜上「水没」と呼ぶ。
【００１６】
筐体１１の背面には、一対の電極１３、１３が設けられている。電極１３、１３は、トランシーバ１が水没し、水を介して短絡することにより相互に導通する。この導通によって、内部の回路が起動し、ユーザに水没および所在位置を知らせる水没告知動作が実行される。水没告知動作では、ディスプレイ１６およびキーパネル１７のバックライトであるＬＥＤ６１（図２参照）が点滅する（フラッシング）とともに、スピーカ２５（図２参照）からアラーム音が放音される。また、水面からトランシーバ１が取り上げられたとき、水没告知動作のうちアラーム音の放音が停止され、これに代えて、スピーカグリル排水動作が実行される。スピーカグリル排水動作は、スピーカ２５から、大きな音量の排水音を放音し、その音圧でスピーカグリル１８に詰まった水を排出する動作である。
【００１７】
次に、トランシーバ１の外観について詳細に説明する。上述したように、トランシーバ１は、筐体１１を含む本体１０、および、筐体１１の上面に設けられたアンテナ１２を有する外観をなしている。アンテナ１２は、筐体１１の上面に上方に向けて設けられている。アンテナ１２は、コイル状のアンテナ線を樹脂パイプに収納したロッド状のアンテナである。
【００１８】
筐体１１の前面には、上から順に、ディスプレイ１６、キーパネル１７、および、スピーカグリル１８が設けられている。スピーカグリル１８の内部には、スピーカ２５が設けられている。筐体１１の右側面にはＰＴＴ（プッシュ・トゥ・トーク）スイッチ１９が設けられている。筐体１１の上面のアンテナ１２の向かって左側には防水キャップが被せられたＳＰ／ＭＩＣコネクタ１４が設けられている。
【００１９】
ディスプレイ１６は、液晶（ＬＣＤ）ディスプレイであり、背面にバックライトとしてＬＥＤ６１（図２参照）を有している。ディスプレイ１６には、通信チャンネル、音量のほか、各種の設定項目が表示される。キーパネル１７には、パワーキー１７０、ディレクションキー１７１を含む複数のキースイッチが配列されている。パワーキー１７０は、電源をオン／オフするためのキースイッチであり、ユーザが一定時間（たとえば２秒以上）このボタンをオンすると、トランシーバ１の電源がオフからオンまたはオンからオフに切り換えられる。ディレクションキー１７１は、上下左右キーと決定キーを有し、ディスプレイ１６上に表示される設定項目などを選択・設定する場合に使用される。また、キーパネル１７の背面にもバックライトとしてＬＥＤ６１（図２参照）が設けられている。キーパネル１７の各キースイッチは、キートップが透明または半透明になっており、バックライトの点灯により背面から照明される。
【００２０】
筐体１１の背面にはクリップホルダ１５および一対の電極１３、１３が設けられている。背面の中央に設けられているクリップホルダ１５には、ベルトクリップが取り付けられる。電極１３、１３は、背面の上部左右にそれぞれ設けられており、トランシーバ１が水没したとき、水を介して短絡することによって相互に導通する。トランシーバ１の制御部である制御部３０（図２参照）は、この導通によって、トランシーバ１の水没を検出する。
【００２１】
図２のブロック図を参照してトランシーバ１の回路構成について説明する。この図ではトランシーバ１の回路のうち、電源制御およびオーディオ信号処理に関連する回路を示している。トランシーバ１は、制御部である制御部３０、電源制御回路３１、受信回路３２、および、ＬＥＤ点灯回路３３を有している。制御部３０は、ＣＰＵに加えて、メモリ、各種のインタフェース、Ａ／Ｄ，Ｄ／Ａコンバータ等を備えたいわゆるマイクロコントローラ（ＭＣＵ，μＣ）であり、図４のフローチャートに示す設定動作、図５〜図７のフローチャートに示す水没監視動作を含むトランシーバ１の全体動作を制御する。制御部３０には、ディスプレイ１６およびキーパネル１７も接続されている。
【００２２】
電源制御回路３１はバッテリ４４を有し、制御部３０、受信回路３２、ＬＥＤ点灯回路３３への電源の供給を制御する。受信回路３２は、高周波信号の受信およびオーディオ信号の放音を処理する回路である。受信回路３２の最終段にスピーカ２５が接続されている。ＬＥＤ点灯回路３３は、制御部３０から入力されるＬＥＤ点灯信号ＬＯＮに応じて、ＬＥＤ６１を点灯させる回路である。上述したように、ＬＥＤ６１は、ディスプレイ１６およびキーパネル１７を背面から照明するバックライトとして用いられるとともに、水没時には点滅するよう制御されてトランシーバ１の所在位置を知らせる機能を果たす。なお、この図ではＬＥＤ６１を１素子のみ示しているが、ＬＥＤ６１は、ディスプレイ１６、キーパネル１７の全体を背面から照明する数および輝度を備えたものである。
【００２３】
電源制御回路３１は、電源スイッチング回路４０、水没検出回路４１、ＯＲ回路４２、電源供給回路４３およびバッテリ４４を有している。バッテリ４４は、たとえばリチウムイオン電池であり、その電圧はたとえば７．４Ｖである。電源スイッチング回路４０は、上述のパワーキー１７０およびホールド回路４０Ａを有する。ホールド回路４０Ａは、電源スイッチオン信号ＰＳＯＮを出力する。ホールド回路４０Ａは、パワーキー１７０が一定時間以上オンされたときＰＳＯＮの状態（Ｈ／Ｌ）を反転する。ＰＳＯＮはＯＲ回路４２に入力される。水没検出回路４１は、上述の電極１３、１３を含み、水没信号ＷＥＴを出力する。水没検出回路４１は、電極１３、１３が導通している間、ＷＥＴをＨに立ち上げる。ＷＥＴはＯＲ回路４２および制御部３０に入力される。ＯＲ回路４２には、ＰＳＯＮ、ＷＥＴに加えて、制御部３０から出力される電源維持信号ＰＯＮも入力される。ＰＯＮについては後述する。
【００２４】
ＯＲ回路４２の出力は、電源供給回路４３に入力される。電源供給回路４３は、ＯＲ回路４２からＨ信号が入力されたとき、バッテリ４４の電力を制御部３０、受信回路３２およびＬＥＤ点灯回路３３に供給し、トランシーバ１を電源オン状態にする。
【００２５】
したがって、パワーキー１７０によってオン操作がされたとき（ＰＳＯＮがＨのとき）、水没が検出されているとき（ＷＥＴがＨのとき）、または、制御部３０の電源維持信号ＰＯＮがＨのとき、ＯＲ回路４２はＨを出力し、電源供給回路４３によって、トランシーバ１の電源がオンされる。
【００２６】
電源供給回路４３は、バッテリ４４の電圧を、各回路の動作電圧に合わせて、降圧／昇圧し、または、そのままの電圧で、各回路に供給する。具体的には、制御部３０に対しては３Ｖの電源電圧を供給し、受信回路３２およびＬＥＤ点灯回路３３には５Ｖの電源電圧を供給する。
【００２７】
ＬＥＤ点灯回路３３は、制御部３０から入力されるＬＥＤ点灯信号ＬＯＮのＨに応じて電源電圧をＬＥＤ６１に通じて、ＬＥＤ６１を点灯させる。制御部３０がＬＯＮのＨを維持するとＬＥＤ６１は継続的に点灯し、制御部３０がＬＯＮのＨ／Ｌを周期的に切り換えると、ＬＥＤ６１は点滅する。ユーザがキーパネル１７からバックライトのオン操作を行ったとき、制御部３０は、ＬＯＮをＨに立ち上げてＬＥＤ６１を点灯させる。また、水没検出回路４１から入力されるＷＥＴがＨに変化したとき、制御部３０は、ＬＯＮのＨ／Ｌを所定の点滅周期ＣＹＣＬＥで切り換えてＬＥＤ６１を点滅させる。制御部３０は、ＷＥＴがＬに変化したのちも所定の点滅継続時間ＤＵＲＡＴＩＯＮは、ＬＥＤ６１の点滅を継続する。なお、水没時（ＷＥＴ＝Ｈ）のＬＥＤ６１点滅のオン／オフ（ＡＣＴＩＶＥ）、点滅周期ＣＹＣＬＥ、および、取り上げ後の点滅継続時間ＤＵＲＡＴＩＯＮは、ユーザが設定可能である。
【００２８】
受信回路３２は、受信復調回路５０、電子ボリューム５１、信号切換回路５２、ＡＦアンプ５３、スピーカ２５、および、昇圧回路５４を備えている。受信復調回路５０は、通信相手からの信号を受信してオーディオ信号である受信信号に復調する回路である。復調された受信信号は、電子ボリューム５１に入力される。電子ボリューム５１は、入力された受信信号の信号レベルを調整する回路であり、可変ゲインアンプ方式、ラダー抵抗方式等種々の方式を採用することが可能である。電子ボリューム５１は、制御部３０から入力されるボリューム制御信号ＶＯＬによって制御される。
【００２９】
信号切換回路５２は、電子ボリューム５１から入力される受信信号、制御部３０から入力されるオーディオ信号のいずれか一方の信号をＡＦアンプ５３に入力する。制御部３０からは、アラーム音、排水音、および、各種のビープ音がオーディオ信号として信号切換回路５２に入力される。信号切換回路５２は、制御部３０から入力される制御信号であるオーディオ切換信号ＡＣＨにより、電子ボリューム５１側、制御部３０側のどちらを選択するかを切り換える。
【００３０】
アラーム音は、水没告知動作時に発生される間欠的に鳴動する音声であり、人間の聴覚で感度よく聴こえる３ｋＨｚ付近の正弦波である。また、ＡＦアンプ５３に入力されるアラーム音信号の信号レベルは、最大レベルでもよいが、ユーザに存在位置を知らせ、且つ、バッテリ４４の消耗を抑えることのできる適当なレベルに決定されればよい。
【００３１】
排水音は、スピーカグリル排水動作時に発生される音声であり、３００Ｈｚの矩形波である。なお、排水音の周波数および波形は、スピーカ２５の特性、スピーカグリル１８内の容量、通信機の形状などの条件に合わせて適宜決定すればよいが、１００Ｈｚ〜５００Ｈｚの周波数および矩形波または鋸波の波形が好適である。また、排水音信号は、ＡＦアンプ５３の最大入力電圧の振幅を有する信号である。上記のような周波数、波形、振幅の排水音信号でスピーカ２５を振動させることで、スピーカグリル１８に詰まった水を効率的に排水することができる。
【００３２】
また、この受信回路３２では、信号切換回路５２を電子ボリューム５１の後段に設け、ＡＦアンプ５３に入力される排水音信号およびアラーム信号が電子ボリューム５１の影響を受けないようにしたことにより、最大音量の信号をＡＦアンプ５３に入力することができる。なお、通常のビープ音信号をこの位置からＡＦアンプ５３に供給する場合は、制御部３０で予めレベル調整をして信号切換回路５２に入力するようにすればよい。
【００３３】
ＡＦアンプ５３は、入力されるオーディオ信号をスピーカ２５を駆動できるレベルに増幅する。増幅されたオーディオ信号はスピーカ２５に出力される。ＡＦアンプ５３には、昇圧回路５４を介して電源電圧が供給される。昇圧回路５４は、制御部３０から入力される電圧切換信号ＥＣＨに応じて、電源供給回路４３から供給される電圧（５Ｖ）を、そのまま、または、昇圧してＡＦアンプ５３に供給する回路である。昇圧回路５４は、ＥＣＨがＬの場合には、バイパス線路を介して、電源供給回路４３から入力された電圧をそのままＡＦアンプ５３に供給する。昇圧回路５４は、ＥＣＨがＨの場合には、電圧を８Ｖに昇圧してＡＦアンプ５３に供給する。昇圧回路５４は、チャージポンプ回路が好適であるが、他の方式の回路（たとえばチョッパ回路）であってもよい。また、電圧を昇圧させる回路を設けず、ＥＣＨがＨの場合、バッテリ４４の電圧（７．４Ｖ）を直接導いてＡＦアンプ５３に供給するようにしてもよい。
【００３４】
ＡＦアンプ５３の最大出力は、通常の電源電圧（５Ｖ）では、０．８Ｗ程度であり、昇圧された電源電圧（８Ｖ）では、１．８〜２．０Ｗ程度である。昇圧された電源電圧を用いて大きな出力（振幅）の排水音信号でスピーカ２５を振動させることにより、高い音圧でより効率的にスピーカグリル１８の排水を行うことができる。なお、スピーカ２５は、２Ｗの入力に耐えられるものを用いる。
【００３５】
制御部３０は、電源供給回路４３から電源電圧が供給されることによって起動し、トランシーバ１の動作を制御し、特に、水没検出回路４１から入力される水没信号ＷＥＴの変化を監視し、以下の動作を実行する。なお、以下の動作説明では、水没告知動作であるＬＥＤ６１の点滅およびアラーム音の放音の両方がオンされている場合について説明する。
【００３６】
水没検出部４１から入力されるＷＥＴがＬからＨに変化すると、トランシーバ１が水没したと判断して以下の動作を行う。電源オフ状態であっても、ＷＥＴがＨに変化するとＯＲ回路４２の出力がＨになり、電源供給回路４３を介してバッテリ４４の電力が制御部３０に供給されるため、制御部３０が起動し、以下の動作が実行される。
（１）ＬＥＤ６１を点滅させる。このため、ＬＥＤ点灯回路３３に入力するＬＥＤ点灯信号ＬＯＮを所定の点滅周期ＣＹＣＬＥでＨ／Ｌを切り換える。ＬＥＤ点灯回路３３は、ＬＯＮがＨになったときＬＥＤ６１に電流を通じて点灯させる。ＬＯＮが周期的にＨ／Ｌを繰り返すため、ＬＥＤ６１は点滅する。
（２）アラーム音を発生させる。このため、オーディオ切換信号ＡＣＨをＨに立ち上げて信号切換回路５２を制御部３０側に切り換え、アラーム音のオーディオ信号を信号切換回路５２に入力する。スピーカグリル１８内が完全に水で塞がっていなければ、このアラーム音は外部に放音され、ユーザに到達する。
（３）電源維持信号ＰＯＮをＨに立ち上げる。すなわち、制御部３０は、一連の水没対応動作（水没告知動作およびスピーカグリル排水動作）の間、ＰＯＮをＨに立ち上げてＯＲ回路４２に入力し、電源スイッチオン信号ＰＳＯＮの状態にかかわらず電源オン状態を維持する。
【００３７】
こののち、ＷＥＴがＨからＬに変化すると、制御部３０は、トランシーバ１が水面から取り上げられたと判断し、次の動作を実行する。
（１）アラーム音を停止し、排水音を発生させる。すなわち、信号切換回路５２に入力するオーディオ信号をアラーム音信号から排水音信号に切り換える。
（２）ＡＦアンプ５３の電源電圧を高電圧に切り換える。このため、昇圧回路５４に出力する電圧切換信号ＥＣＨをＨに立ち上げる。
（３）ＬＥＤ６１の点滅継続時間ＤＵＲＡＴＩＯＮを測定するタイマ１および排水音の発生時間を測定するタイマ２を起動する。タイマ１のタイムアップ時間である点灯継続時間ＤＵＲＡＴＩＯＮは、０〜３０秒の間でユーザが設定可能である。また、排水音の発生時間を決定するタイマ２のタイムアップ時間は、スピーカグリル１８の大きさ、形状、スピーカ２５の出力等に基づいて適当な時間を設定すればよく、たとえば１０秒程度が適当である。
【００３８】
なお、この排水音の発生時間は、ユーザによって設定を可能にしてもよい。この場合において、排水音がスピーカ２５に与えるストレスを考慮し、タイマ２のタイムアップ時間に上限を設け、この上限を超えるタイムアップ時間の設定を受け付けないようにしてもよい。また、排水音をユーザのマニュアル操作で発生可能にしてもよい。
【００３９】
こののち、タイマ１がタイムアップすると、ＬＥＤ６１の点滅を停止させ、ＬＯＮを水没前の状態にもどす。すなわち、水没前にバックライトが点灯状態であった場合には、ＬＯＮをＨに固定する。そうでない場合には、ＬＯＮをＬに固定する。
【００４０】
また、タイマ２がタイムアップすると、排水音の発生を停止する。すなわち、制御部３０は、排水音信号の出力を停止するとともに、オーディオ切換信号ＡＣＨをＬに落として信号切換回路５２を電子ボリューム５１側に切り換える。さらに、電圧切換信号をＬに落としてＡＦアンプ５３に供給される電源電圧を低電圧に切り換える。
【００４１】
トランシーバ１が水面から取り上げられたのち、タイマ１、タイマ２のうち一方がタイムアップするまでは、ＬＥＤ６１の点滅と排水音の発生が並行して行われる。これにより、ユーザは、取り上げたトランシーバ１から排水音が聴こえなくても、ＬＥＤ６１が点滅していることで、排水音が発生していることを認識することができる。
【００４２】
タイマ１、タイマ２の両方がタイムアップすると、制御部３０は、ＬＥＤ６１の点滅、排水音の発生の両方を停止させたのちＰＯＮをＬに落とす。パワーキー１７０の操作によって電源スイッチオン信号ＰＳＯＮがＨになっている場合には、電源オンの状態がそのまま維持されるが、ＰＳＯＮがＬの場合には、ＰＯＮがＬになることによって電源がオフされる。すなわち、電源供給回路４３が電源の供給を停止する。
【００４３】
図３（Ａ）〜（Ｅ）は、水没告知動作の設定画面の例を示す図である。トランシーバ１が電源オン状態のときに、キーパネル１７の操作で設定モードに切り換えられたとき、これらの画面が表示される。いずれの設定画面でも、ユーザは、ディレクションキー１７１でカーソルを所望の項目に移動させたのち決定キーをオンすることで、その項目の設定操作を行うことができる。また、どの設定画面でも、［ＥＸＩＴ］を選択して決定キーをオンすることにより設定メニューから抜けることができ、［ＢＡＣＫ］を選択して決定キーをオンすることにより直前の画面に戻ることができる。
【００４４】
図３（Ａ）は、水没告知動作（ＡＬＡＲＭ）を設定するメニュー画面を示す図である。この画面では、ＬＥＤ６１の点滅のオン／オフ（ＦＬＡＳＨＩＮＧ）、点滅継続時間（ＤＵＲＡＴＩＯＮ）、点滅周期（ＣＹＣＬＥ）、および、アラーム音（ＳＯＵＮＤ）の設定内容が表示され、各項目の設定画面に移動するための三角マークが表示されている。
【００４５】
図３（Ｂ）は、ＬＥＤ６１の点滅（ＦＬＡＳＨＩＮＧ）のオン／オフを切り換える設定画面を示す図である。この画面では、ＯｎおよびＯｆｆが表示されており、いずれかを選択して決定キーをオンすることにより、点滅がその選択された状態に切り換えられる。この表示では、Ｏｎ側にチェックマークが付されているため、点滅はオンされている。
【００４６】
図３（Ｃ）は、取り上げ後の点滅継続時間ＤＵＲＡＴＩＯＮの設定画面を示す図である。この画面では、０秒、１０秒、２０秒、３０秒の４つの時間が表示されており、いずれかを選択して決定キーをオンすることにより、取り上げ後の点滅継続時間ＤＵＲＡＴＩＯＮがその選択された時間に切り換えられる。この表示では、２０秒にチェックマークが付されているため、点滅継続時間ＤＵＲＡＴＩＯＮは２０秒に設定されている。
【００４７】
図３（Ｄ）は、点滅周期ＣＹＣＬＥの設定画面を示す図である。この画面では、０．５秒、１秒、２秒、４秒の４つの周期が表示されており、いずれかを選択して決定キーをオンすることにより、取り上げ後の点滅周期ＣＹＣＬＥがその選択された周期に切り換えられる。この表示では、０．５秒にチェックマークが付されているため、点滅周期ＣＹＣＬＥは０．５秒に設定されている。なお、この実施形態では、点灯時間を一定にして消灯時間を伸縮させることによって点滅周期ＣＹＣＬＥを変化させている。たとえば、点灯時間を０．３秒とし、消灯時間を０．２秒、０．７秒、１．７秒、３．７秒に変化させることによって、点滅周期ＣＹＣＬＥを０．５秒、１秒、２秒、４秒とする。また、点滅周期ＣＹＣＬＥ内における点灯時間と消灯時間の組み合わせはこれに限定されない。たとえば、点灯時間と消灯時間を同じ比率で伸縮させるようにしてもよい。
【００４８】
図３（Ｅ）は、アラーム音（ＳＯＵＮＤ）のオン／オフを切り換える設定画面を示す図である。この画面では、ＯｎおよびＯｆｆが表示されており、いずれかを選択して決定キーをオンすることにより、アラーム音がその選択された状態に切り換えられる。この表示では、Ｏｎ側にチェックマークが付されているため、アラーム音はオンされている。
【００４９】
図４は、設定メニューの設定動作を示すフローチャートである。ユーザがキーパネル１７の操作で設定モードを選択すると、この動作が実行される。まず、設定項目を一覧表示するメニュー画面を表示する（Ｓ１）。このメニュー画面で水没告知動作を設定する水没告知設定が選択されると（Ｓ２でＹＥＳ）、図３（Ａ）の水没告知設定画面（ＡＬＡＲＭ）の表示（Ｓ４）に移行する。それ以外の項目が選択されると（Ｓ３でＹＥＳ）、対応する設定画面へ移行する（Ｓ５）。水没告知設定画面で、ユーザはＬＥＤ６１の点滅およびアラーム音の設定を行うことができる。
【００５０】
ユーザは、水没告知設定画面で点滅のオン／オフ設定（ＦＬＡＳＨＩＮＧ）、点滅継続期間（ＤＵＲＡＴＩＯＮ）、点滅周期（ＣＹＣＬＥ）、および、アラーム音（ＳＯＵＮＤ）の設定画面のいずれかを選択することができる（Ｓ６〜Ｓ９）。水没告知設定画面でＦＬＡＳＨＩＮＧが選択されると（Ｓ６でＹＥＳ）、図３（Ｂ）のオン／オフ設定画面を表示し（Ｓ１０）、ユーザによる点滅のオン／オフ切り換え入力を受け付ける（Ｓ１１）。点滅設定画面でＤＵＲＡＴＩＯＮが選択されると（Ｓ７でＹＥＳ）、図３（Ｃ）の点滅継続時間設定画面を表示し（Ｓ１２）、ユーザによる点滅継続時間ＤＵＲＡＴＩＯＮの設定入力を受け付ける（Ｓ１３）。水没告知設定画面でＣＹＣＬＥが選択されると（Ｓ８でＹＥＳ）、図３（Ｄ）の点滅周期設定画面を表示し（Ｓ１４）、ユーザによる点滅周期の設定入力を受け付ける（Ｓ１５）。また、水没告知設定画面でＳＯＵＮＤが選択されると（Ｓ９でＹＥＳ）、図３（Ｅ）のアラーム音設定画面を表示し（Ｓ１６）、ユーザによるアラーム音のオン／オフ切り換え入力を受け付ける（Ｓ１７）。
【００５１】
この動作により、水没時のＬＥＤ６１の点滅およびアラーム音の鳴動のオン／オフ、ＬＥＤ６１の点滅をオンにした場合の点滅周期および取り上げ後の点滅継続時間を、ユーザが設定することができ、制御部３０は、以下に説明する水没時動作で、この設定に基づいた動作を行う。
【００５２】
図５〜図７のフローチャートを参照して、制御部３０による上記水没監視処理について説明する。なお、この処理では、水没対応処理の段階を表すステータスフラグＳＴを設けているが、必須ではない。ステータスフラグＳＴは０，１，２，３の４つの状態を持ち、デフォルトは０である。
【００５３】
図５は、水没監視処理のメインルーチンを示すフローチャートである。この処理は、所定時間毎（たとえば１０ｍｓ毎）に実行される。この処理では、水没信号であるＷＥＴがＬからＨに立ち上がったか（Ｓ２１）、ＷＥＴがＨからＬに立ち下がったか（Ｓ２２）、タイマ１がタイムアップしたか（Ｓ２３）、および、タイマ２がタイムアップしたか（Ｓ２４）をそれぞれ判定する。
【００５４】
ここで、ＷＥＴの立ち上がりおよび立ち下がりは、ＷＥＴとステータスフラグＳＴとを比較することで検出される。すなわち、ステータスフラグＳＴが１以外の状態でＷＥＴのＨが検出されたとき、ＷＥＴが立ち上がったと判定される。その直後の水没処理でステータスフラグＳＴは１に書き換えられるため、取り上げられたのち再度水没するまで「ＳＴ≠１且つＷＥＴ＝Ｈ」となることはない。なお、ステータスフラグＳＴは、制御部３０が起動したとき０にリセットされるため、電源オフ中にトランシーバ１が水没した場合でも、制御部３０が起動して最初に図５のメインルーチンを実行したとき、「ＳＴ＝０且つＷＥＴ＝Ｈ」となっているため、これによってＷＥＴの立ち上がりを検出することができる。また、ＷＥＴの立ち下がりは、ステータスフラグＳＴが１の状態でＷＥＴのＬが検出されたことによって判定される。
【００５５】
ＷＥＴが立ち上がった場合には（Ｓ２１でＹＥＳ）、トランシーバ１が水没したとして、水没処理（図６（Ａ））を実行する（Ｓ２５）。ＷＥＴが立ち下がった場合には（Ｓ２２でＹＥＳ）、トランシーバ１が水面から取り上げられたとして、取り上げ処理（図６（Ｂ））を実行する（Ｓ２６）。タイマ１がタイムアップした場合には（Ｓ２３でＹＥＳ）、ＬＥＤ６１の点滅時間が終了したとして、点滅停止処理（図７（Ａ））を実行する（Ｓ２７）。そして、タイマ２がタイムアップした場合には（Ｓ２４でＹＥＳ）、排水音の発生時間が終了したとして、排水停止処理（図７（Ｂ））を実行する（Ｓ２８）。
【００５６】
以下、図６、図７を参照して、水没処理、取り上げ処理、点滅停止処理、および、排水停止処理について説明する。
【００５７】
図６（Ａ）は、ＷＥＴがＬからＨに立ち上がったとき実行される水没処理を示すフローチャートである。水没処理では、まず、点滅がオンされているか否かを判断する（Ｓ３１）。点滅がオンされている場合には（Ｓ３１でＹＥＳ）、ＬＥＤ６１の点滅を開始させる（Ｓ３２）。すなわち、ＬＥＤ点滅信号発生ルーチンを起動する。ＬＥＤ点滅信号発生ルーチンは、ＬＥＤ点灯信号ＬＯＮのＨ／ＬをＳ１９で設定された点滅周期ＣＹＣＬＥで切り換えてＬＥＤ点灯回路３３に入力するルーチンである。点滅がオフされている場合には（Ｓ３１でＮＯ）、Ｓ３２をスキップしてＳ３３に進む。
【００５８】
Ｓ３３では、アラーム音がオンされているか否かを判断する。アラーム音がオンされている場合には（Ｓ３３でＹＥＳ）、アラーム音の発生をスタートさせる（Ｓ３４）。すなわち、アラーム音信号生成ルーチンを起動する。アラーム音信号生成ルーチンは、アラーム音の信号波形（たとえば１ｋＨｚの最大振幅の正弦波）を生成するルーチンである。生成された信号波形は信号切換回路５２に入力される。アラーム音がオフされている場合には（Ｓ３３でＮＯ）、Ｓ３４をスキップしてＳ３５に進む。Ｓ３５では、ＰＯＮ信号を立ち上げる。そして、ステータスフラグＳＴに１をセットして（Ｓ３６）、水没処理を終了する。
【００５９】
図６（Ｂ）は、ＷＥＴがＨからＬに立ち下がったとき実行される取り上げ処理を示すフローチャートである。まず、アラーム音がオンされているか否かを判断する（Ｓ４０）。アラーム音がオンされている場合には（Ｓ４０でＹＥＳ）、アラーム音を停止する（Ｓ４１）。すなわち、アラーム音信号生成ルーチンを停止する。一方、アラーム音がオフされている場合には（Ｓ４０でＮＯ）、Ｓ４１をスキップしてＳ４２に進む。Ｓ４２では、排水音を発生させるスピーカグリル排水動作を開始する。すなわち、排水音発生ルーチンを起動するとともに、昇圧回路５４に出力する電圧切換信号ＥＣＨをＨに立ち上げる。排水音信号生成ルーチンは、排水音の信号波形（たとえば３００Ｈｚの最大振幅の矩形波）を生成するルーチンである。生成された信号波形は信号切換回路５２に入力される。同時に排水音の発生時間を管理するタイマ２をスタートさせる（Ｓ４３）。
【００６０】
次に、点滅がオンされているか否かを判断する（Ｓ４４）。点滅がオンされている場合には（Ｓ４４でＹＥＳ）、取り上げ後の点滅継続時間ＤＵＲＡＴＩＯＮを管理するタイマ１を起動し（Ｓ４５）、ステータスフラグＳＴに２をセットして（Ｓ４６）、動作を終了する。フラッシュがオフされている場合には（Ｓ４４でＮＯ）、ステータスフラグＳＴに３をセットして（Ｓ４７）、動作を終了する。
【００６１】
図７（Ａ）は、タイマ１がタイムアップしたとき実行される点滅停止処理を示すフローチャートである。まず、ＬＥＤ６１の点滅を停止させる（Ｓ５０）。すなわち、ＬＥＤ点滅信号発生ルーチンを停止する。次に、ステータスフラグＳＴが、既に他方のタイマ（タイマ２）がタイムアップしていることを示す「３」であるか否かを判定する（Ｓ５１）。ステータスフラグが３の場合には（Ｓ５１でＹＥＳ）、ＰＯＮをＨからＬに立ち下げるとともに（Ｓ５２）、ステータスフラグＳＴに水没なしを示す０をセットして（Ｓ５３）、動作を終了する。ステータスフラグＳＴが３でない（２である）場合には（Ｓ５１でＮＯ）、ステータスフラグＳＴに３をセットして（Ｓ５４）、動作を終了する。
【００６２】
図７（Ｂ）は、タイマ２がタイムアップしたとき実行される排水停止処理を示すフローチャートである。まず、スピーカグリル排水動作を停止させる（Ｓ６０）。すなわち、排水音信号生成ルーチンを停止するとともに、オーディオ切換信号ＡＣＨをＬに落として信号切換回路５２を電子ボリューム５１側に切り換え、電圧切換信号をＬに落としてＡＦアンプ５３に供給される電源電圧を低電圧に切り換える。次に、ステータスフラグＳＴが、タイマ１が動作していないか既にタイムアップＳＴしていることを示す「３」であるか否かを判定する（Ｓ６１）。ステータスフラグＳＴが３の場合には（Ｓ６１でＹＥＳ）、ＰＯＮをＨからＬに立ち下げるとともに（Ｓ６２）、ステータスフラグＳＴに水没なしを示す０をセットして（Ｓ６３）、動作を終了する。ステータスフラグＳＴが３でない（２である）場合には（Ｓ６１でＮＯ）、ステータスフラグＳＴに３をセットして（Ｓ６４）、動作を終了する。
【００６３】
この実施形態では、船舶通信用のハンディトランシーバを例にあげて説明したが、この発明の電子機器は、ハンディトランシーバに限定されない。据置の電子機器であってもよい。
【００６４】
また、この実施形態のトランシーバ１は防水かつ水に浮く（水よりも比重が小さい）構成であったが、水と比重が同じまたは水よりも比重が大きい携帯電子機器に本発明を適用することも可能である。
【符号の説明】
【００６５】
１  トランシーバ
１１  筐体
１６  ディスプレイ
１７  キーパネル
２５  スピーカ
３０  制御部
３３  ＬＥＤ点灯回路
６１  ＬＥＤ
【図１】
2013229826.tif 000003
【図２】
2013229826.tif 000004
【図３】
2013229826.tif 000005
【図４】
2013229826.tif 000006
【図５】
2013229826.tif 000007
【図６】
2013229826.tif 000008
【図７】
2013229826.tif 000009
【手続補正書】
【提出日】平成24年5月23日(2012.5.23)
【手続補正１】
【補正対象書類名】特許請求の範囲
【補正対象項目名】全文
【補正方法】変更
【補正の内容】
【特許請求の範囲】
【請求項１】
自身が水面または水中に落下したこと（以下「水没」と呼ぶ）を検出するとともに、前記水面または水中から取り上げられたこと（以下「取り上げ」と呼ぶ）を検出する水没検出部と、
筐体の内部に設けられた発光体と、
点灯信号の入力に応じて前記発光体を点灯させる点灯回路と、
前記水没から、少なくとも前記取り上げまでの間、所定の点滅周期で前記点灯信号を発生して前記点灯回路に入力することにより、前記発光体を点滅させる制御部と、
前記水没検出部が水没を検出したとき前記制御部に電源が供給されていなかった場合、前記制御部に電源を供給して前記制御部を起動する電源制御回路と、
を備えた電子機器。
【請求項２】
ユーザによって操作される操作部をさらに備え、
前記制御部は、前記操作部による前記点滅周期の設定を受け付け、該設定された点滅周期で前記点灯信号を発生する請求項１に記載の電子機器。
【請求項３】
前記制御部は、前記水没検出部が取り上げを検出した後も所定の点灯継続時間だけ、前記点滅周期での前記点灯信号の発生を継続するとともに、前記操作部による前記点滅周期の設定を受け付け、
該設定された点灯継続時間だけ、前記点滅周期での前記点灯信号の発生を継続する請求項２に記載の電子機器。
【請求項４】
ディスプレイおよびキーパネルをさらに備え、
前記発光体は、前記ディスプレイおよびキーパネルの少なくとも一方のバックライトであり、
前記制御部は、前記操作部への点灯操作に応じて前記発光体を点灯させる請求項１乃至請求項３のいずれかに記載の電子機器。
【請求項５】
スピーカ、および、該スピーカを駆動する増幅回路をさらに備え、
前記制御部は、前記水没から前記取り上げまでの間、自身の存在位置を報知するアラーム音信号を生成して前記増幅回路に入力する請求項１乃至請求項４のいずれかに記載の電子機器。
【請求項６】
前記水没検出部は、一対の電極を有し、これらの電極が相互に導通することによって前記水没を検出し、そののち非導通になることによって前記取り上げを検出する請求項１乃至請求項５のいずれかに記載の電子機器。
【手続補正２】
【補正対象書類名】明細書
【補正対象項目名】０００６
【補正方法】変更
【補正の内容】
【０００６】
本発明の電子機器は、自身が水面または水中に落下したこと（以下「水没」と呼ぶ）を検出するとともに、前記水面または水中から取り上げられたこと（以下「取り上げ」と呼ぶ）を検出する水没検出部と、筐体の内部に設けられた発光体と、点灯信号の入力に応じて前記発光体を点灯させる点灯回路と、前記水没から、少なくとも前記取り上げまでの間、所定の点滅周期で前記点灯信号を発生して前記点灯回路に入力することにより、前記発光体を点滅させる制御部と、前記水没検出部が水没を検出したとき前記制御部に電源が供給されていなかった場合、前記制御部に電源を供給して制御制御部を起動する電源制御回路と、を備えたことを特徴とする。
上記発明において、ユーザによって操作される操作部をさらに備え、前記制御部が、前記操作部による前記点滅周期の設定を受け付け、該設定された点滅周期で前記点灯信号を発生するようにしてもよい。
【手続補正３】
【補正対象書類名】明細書
【補正対象項目名】００１１
【補正方法】削除
【補正の内容】